(57)【要約】【課題】  本発明は複数の図柄表示領域を持ち合わせた遊技機において、従来の盤面構成を大きく変化させる事無く、限られた従来と大差ないスペース内で設置する事の可能な、複数の特別図柄に対応する始動口と普通電動役物の機能を兼ね備えた電動入賞装置を備えた遊技機を考案する事を目的とする。【解決手段】  上部に非開閉式の複数の入賞口を設け、下部に開閉式の入賞口を設ける事により従来の電動入賞装置では成しえなかった、複数の特別図柄の始動口と普通電動役物の機能を一体化し、更には下部の開閉式の入賞口に普通電動役物としての機能を持たせ、その入賞口の内部で複数の特別図柄に対応した検出手段を設置し、遊技球を振り分ける事ができ、且つ個別に検知することの出来る構成をとる。【選択図】  図１
2005334381.tif 000002
【特許請求の範囲】
【請求項１】
遊技球が始動口に入球し検出される事により抽出される乱数に基づいて、大入賞口が一定回数の開閉動作を繰り返す事となる大当たり遊技を行うか否かの判定を行う当否判定手段を備えた遊技機において、遊技盤（8）に前記大当たりの当否判定の結果を表示する為の特別図柄を表示する第１図柄表示領域（2）と第２図柄表示領域（3）、更には遊技盤に設置された遊技球を検出可能な検出手段（9）により変動を開始する事となる普通図柄を表示する第３図柄表示領域（10）を表示可能とする３つの図柄表示領域、また前記特別図柄の変動契機となる始動口を持ち合わせた電動入賞装置（4）を備え、前記電動入賞装置（4）は前記第１図柄表示領域（2）と第２図柄表示領域（3）に表示される大当たりの当否判定を行う為の乱数抽出契機となる始動口たり得る入賞手段を上部に非開閉式、下部には開閉式として一体に備え、前記の非開閉式手段は遊技球が入賞可能な第１入賞口（11）と第２入賞口（12）が左右方向に並列する構成であり、前記第１入賞口（11）と第２入賞口（12）は遮断部（27）により分離され、また前記第１入賞口（11）は遊技球を検出する為の第１検出手段（26a）と、第１入賞通路（21）と第１入賞通路内に遊技球を誘導する為の第１誘導体（25a）からなる構成であり、また前記第２入賞口（12）は遊技球を検出する為の第２検出手段（26b）と、第２入賞通路（22）と第２入賞通路内に遊技球を誘導する為の第２誘導体（25b）からなる構成であり、前記の開閉式手段は前後方向の枢軸（28）により開閉し、第３入賞口（13）への遊技球の入賞を制御する遮蔽体（20）を備え、また前記第３入賞口（13）は分離体（30）によって分離される第３入賞通路（23）と第４入賞通路（24）によって構成され、夫々遊技球を検出する為の第３検出手段（26c）、第４検出手段（26d）を備え、更には遊技球を誘導する為の第３誘導体（25c）と第４誘導体（25d）を備え、また前記第１入賞口（11）と第２入賞口（12）はベース板（29）と該ベース板に設置される上受け部（32）の間で、左右方向の中央に対して対称に設置されるとともに、前記第３入賞口（13）は前記ベース板（29）と該ベース板に設置される下受け部（34）の間で、左右方向の中央に対して対称に前記遮蔽体（20）と前記第３入賞通路（23）と第４入賞通路（24）を設置した構成となっている事を特徴とした遊技機。
【請求項２】
遊技球が始動口に入球し検出される事により抽出される乱数に基づいて、大入賞口が一定回数の開閉動作を繰り返す事となる大当たり遊技を行うか否かの判定を行う当否判定手段を備えた遊技機において、遊技盤（8）に前記大当たりの当否判定の結果を表示する為の特別図柄を表示する第１図柄表示領域（2）と第２図柄表示領域（3）、更には遊技盤に設置された遊技球を検出可能な検出手段（9）により変動を開始する事となる普通図柄を表示する第３図柄表示領域（10）を表示可能とする３つの図柄表示領域、また前記特別図柄の変動契機となる始動口を持ち合わせた電動入賞装置（4）を備え、前記電動入賞装置（4）は前記第１図柄表示領域（2）と第２図柄表示領域（3）に表示される大当たりの当否判定を行う為の乱数抽出契機となる始動口たり得る入賞手段を上部に非開閉式、下部には開閉式として一体に備え、前記の非開閉式手段は遊技球が入賞可能な第１入賞口（61）と第２入賞口（62）が左右方向に並列する構成であり、前記第１入賞口（61）と第２入賞口（62）は遮断部（77）により分離され、前記の開閉式手段は前後方向の枢軸（78）により開閉し、第３入賞口（63）への遊技球の入賞を制御する遮蔽体（70）を備え、また前記第３入賞口（63）は分離体（80）によって分離される第１入賞通路（73）と第２入賞通路（74）によって構成され、夫々遊技球を検出する為の第１検出手段（76a）、第２検出手段（76b）を備え、更には遊技球を誘導する為の第１誘導体（75a）と第２誘導体（75b）を備え、前記第１入賞通路（73）は遊技球を検出する為の第１検出手段（76a）と、前記第２入賞通路（74）は遊技球を検出する為の第２検出手段（76b）をも備え、また前記第１入賞口（61）と第２入賞口（62）はベース板（79）と該ベース板に設置される上受け部（82）の間で左右方向の中央に対して対称に設置され、更には前記ベース板（79）と上受け部（82）の間に第１落下入賞路（71）と第２落下入賞路（72）を備えた構成であり、前記第３入賞口（63）は前記ベース板（79）と該ベース板に設置される下受け部（84）の間で、左右方向の中央に対して対称に前記遮蔽体（70）と前記第１入賞通路（73）と第２入賞通路（74）を設置した構成となっている事を特徴とした遊技機。
【請求項３】
遊技球が始動口に入球し検出される事により抽出される乱数に基づいて、大入賞口が一定回数の開閉動作を繰り返す事となる大当たり遊技を行うか否かの判定を行う当否判定手段を備えた遊技機において、遊技盤（8）に前記大当たりの当否判定の結果を表示する為の特別図柄を表示する第１図柄表示領域（2）と第２図柄表示領域（3）、更には遊技盤に設置された遊技球を検出可能な検出手段（9）により変動を開始する事となる普通図柄を表示する第３図柄表示領域（10）を表示可能とする３つの図柄表示領域、また前記特別図柄の変動契機となる始動口を持ち合わせた電動入賞装置（4）を備え、前記電動入賞装置（4）は前記第１図柄表示領域（2）と第２図柄表示領域（3）に表示される大当たりの当否判定を行う為の乱数抽出契機となる始動口たり得る入賞手段を上部に非開閉式、下部には開閉式として一体に備え、前記の非開閉式手段は遊技球が入賞可能な第１入賞口（91）と第２入賞口（92）が左右方向に並列する構成であり、前記第１入賞口（91）と第２入賞口（92）は遮断部（107）により分離され、また前記第１入賞口（91）は遊技球を検出する為の第１検出手段（106a）と、第１入賞通路（101）と第１入賞通路内に遊技球を誘導する為の第１誘導体（105a）からなる構成であり、また前記第２入賞口（92）は遊技球を検出する為の第２検出手段（106b）と、第２入賞通路（102）と第２入賞通路内に遊技球を誘導する為の第２誘導体（105b）からなる構成であり、前記の開閉式手段は前後方向の枢軸（108）により開閉し、第３入賞口（93）への遊技球の入賞を制御する遮蔽体（100）を備え、また前記第３入賞口（93）は第３入賞通路（103）を備え、該第３入賞通路（103）は遊技球を検出する為の第３検出手段（106c）と第４検出手段（106d）を有するとともに、遊技球を検出手段へと誘導する為の誘導路（110）と、遊技球を前記第３検出手段（106c）と第４検出手段（106d）のいずれかに振り分ける為のガイド部（104）を備え、また前記第１入賞口（91）と第２入賞口（92）はベース板（109）と該ベース板に設置される上受け部（112）の間で、左右方向の中央に対して対称に設置されるとともに、前記第３入賞口（93）は前記ベース板（109）と該ベース板に設置される下受け部（114）の間で、左右方向の中央に前記ガイド部（104）を備え、また左右方向の中央対して対称に前記遮蔽体（100）を設置した構成となっている事を特徴とした遊技機。
【発明の詳細な説明】
【技術分野】
【０００１】
本発明は、遊技領域に遊技球が入球可能な始動口と大入賞口を複数有し、遊技球がいずれかの始動口に入球し検出される事により抽出される乱数に基づいて、いずれかの大入賞口が一定回数の開閉動作を繰り返す事となる大当たり遊技を行うか否かの判定を行う当否判定手段、また当否判定の結果を表示する図柄表示装置を備え、更には図柄表示領域を複数持ち合わせた遊技機に関するものである。
【背景技術】
【０００２】
従来のパチンコ機においては、遊技盤面に特別図柄、普通図柄を表示する液晶などの図柄表示装置が搭載され、その普通図柄変動用の普通図柄始動口（ゲート）、また特別図柄変動用の始動口に値する電動入賞装置も搭載されている。電動入賞装置には一般的にチューリップ式と呼ばれる形状のものが多く見うけられる。従来の電動入賞装置においては入賞口の左右に軸支される事により開閉自在に配置された一対の開閉体が設置されており、閉状態時には左右に設置された開閉体の間隔は遊技球が１個入賞し得る程度に設定されている。そして普通図柄が当選した際には、開閉体が左右に開放し遊技球が入賞しやすい形態へと変化するようになっている。そして始動口に遊技球が入賞する事により、乱数を抽出し、その乱数に基づき大当たりか否かの判定を行い、大当たりに当選していれば大当たりとなる特別図柄の判定結果を図柄表示装置にて表示した後に大当たり遊技が行われる。大当たり遊技においては遊技盤面上に設置された大入賞口が一定回数の開閉動作を行う事となり、遊技者は大量の賞球を獲得する事が出来る。また近年液晶などの図柄表示装置は派手な演出が好まれる為に拡大化の一途をたどり、大型の液晶などを使用して遊技盤面に設置される事が多くなってきている。
【０００３】
特開平８−２７６０５２号においては、遊技盤に図柄表示装置を複数設置し、有効な図柄表示装置を選択手段により切り替える事のできる遊技機が考案されている。このような図柄表示装置を複数持ち合わせたことを特徴とした遊技機は他にも考案されている。また特許第３３０６０２７号においては、電動入賞装置の考案がなされている。１個の電動入賞装置の上部に非開閉式の入賞手段と、下部に開閉式の入賞手段を併せ持つ電動入賞装置の考案がなされている。
【特許文献１】特開平８−２７６０５２号公報
【特許文献２】特許第３３０６０２７号公報
【発明の開示】
【発明が解決しようとする課題】
【０００４】
先に述べたように近年では液晶などを使用して行われる図柄表示において、パチンコ遊技の画像による演出効果の充実を図るために図柄表示装置の拡大、大型化が行われるはこびとなってきている。尚且つ現状のパチンコ遊技は1つの図柄表示装置とそれに表示される普通図柄、特別図柄を夫々1つ持ち、対応する始動口、そして大入賞口を持つ構成となっているものが多い。しかしながら遊技性としては、１つの特別図柄の始動口である電動入賞装置に遊技球を入賞させ、大当たりの乱数を抽出して当否判定を行い、判定結果を１つの特別図柄により図柄表示装置に表示するといった遊技性が殆どをしめている。その為遊技性自体に変化が乏しいとされている事は近年抱えている課題である。そこで特開平８−２７６０５２に記されるように図柄表示装置を複数設置することにより特別図柄も複数表示される事が当然考えられ、遊技性自体も従来の遊技性とは異なった遊技性を持ちうることは容易に考えられるものである。
【０００５】
このように図柄表示装置の拡大化ならびに増加、且つ特別図柄の増加に伴い考案される遊技性の発展に付随して、遊技盤面に大入賞口などの周辺装置が搭載された場合には遊技領域が非常に狭まり限られてくる事が想定される。余りにも各種の装置を盤面に搭載しすぎてしまうと、遊技球の流下経路、流下パターンが非常に制限されてしまい遊技釘などによる遊技球の落下を楽しむといったパチンコ遊技の本質が損なわれてしまう可能性がある。また遊技釘の配置などを含む従来の盤面構成を大きく変化させなくてはならないといった問題も生じてくる。遊技盤面の構成を大きく変化させてしまうと遊技者にとっても混乱を与えかねない。
【０００６】
また現状特別図柄の始動口は普通電動役物と一体化されているが、特別図柄を増加させる事によって安易に特別図柄の始動口機能を持ち合わせた別の普通電動役物を設置することは、盤面スペースが限られてくる事や、新たに設置した際には遊技板面の構成が大きく変わってしまう事が懸念される。また一般的な電チューと呼ばれる電動入賞装置の構成では複数の始動口を内包する事は難しい。そこで本発明は、複数の図柄表示領域を持ち合わせた遊技機において、従来の盤面構成を大きく変化させる事無く、限られた従来と大差ないスペース内で設置する事の可能な、複数の特別図柄に対応する始動口と普通電動役物の機能を兼ね備えた電動入賞装置を備えた遊技機を考案する事を目的とする。
【課題を解決するための手段】
【０００７】
本発明では、遊技球が始動口に入球し検出される事により抽出される乱数に基づいて、大入賞口が一定回数の開閉動作を繰り返す事となる大当たり遊技を行うか否かの判定を行う当否判定手段を備えた遊技機において、遊技盤（8）に前記大当たりの当否判定の結果を表示する為の特別図柄を表示する第１図柄表示領域（2）と第２図柄表示領域（3）、更には遊技盤に設置された遊技球を検出可能な検出手段（9）により変動を開始する事となる普通図柄を表示する第３図柄表示領域（10）を表示可能とする図柄表示装置（1）が備えられており、また前記特別図柄の変動契機となる始動口を持ち合わせた電動入賞装置（4）を備え、前記電動入賞装置（4）は前記第１図柄表示領域（2）と第２図柄表示領域（3）に表示される大当たりの当否判定を行う為の乱数抽出契機となる始動口たり得る入賞手段を上部に非開閉式、下部には開閉式として一体に備え、前記の非開閉式手段は遊技球が入賞可能な第１入賞口（11）と第２入賞口（12）が左右方向に並列する構成であり、前記第１入賞口（11）と第２入賞口（12）は遮断部（27）により分離されている。また前記第１入賞口（11）は遊技球を検出する為の第１検出手段（26a）と、第１入賞通路（21）と第１入賞通路内に遊技球を誘導する為の第１誘導体（25a）からなる構成である。また前記第２入賞口（12）は遊技球を検出する為の第２検出手段（26b）と、第２入賞通路（22）と第２入賞通路内に遊技球を誘導する為の第２誘導体（25b）からなる構成である。前記の開閉式手段は前後方向の枢軸（28）により開閉し、第３入賞口（13）への遊技球の入賞を制御する遮蔽体（20）を備えている。また前記第３入賞口（13）は分離体（30）によって分離される第３入賞通路（23）と第４入賞通路（24）によって構成され、夫々遊技球を検出する為の第３検出手段（26c）、第４検出手段（26d）を備え、更には遊技球を誘導する為の第３誘導体（25c）と第４誘導体（25d）を備えた構成である。また、前記第１入賞口（11）と第２入賞口（12）はベース板（29）と該ベース板に設置される上受け部（32）の間で、左右方向の中央に対して対称に設置されるとともに、前記第３入賞口（13）は前記ベース板（29）と該ベース板に設置される下受け部（34）の間で、左右方向の中央に対して対称に前記遮蔽体（20）と前記第３入賞通路（23）と第４入賞通路（24）を設置したものであり、当該電動入賞装置（4）を設置する事により解決を図る。
【０００８】
また、遊技球が始動口に入球し検出される事により抽出される乱数に基づいて、大入賞口が一定回数の開閉動作を繰り返す事となる大当たり遊技を行うか否かの判定を行う当否判定手段を備えた遊技機において、遊技盤（8）に前記大当たりの当否判定の結果を表示する為の特別図柄を表示する第１図柄表示領域（2）と第２図柄表示領域（3）、更には遊技盤に設置された遊技球を検出可能な検出手段（9）により変動を開始する事となる普通図柄を表示する第３図柄表示領域（10）を表示可能とする図柄表示装置（1）が備えられており、また前記特別図柄の変動契機となる始動口を持ち合わせた電動入賞装置（4）を備え、前記電動入賞装置（4）は前記第１図柄表示領域（2）と第２図柄表示領域（3）に表示される大当たりの当否判定を行う為の乱数抽出契機となる始動口たり得る入賞手段を上部に非開閉式、下部には開閉式として一体に備え、前記の非開閉式手段は遊技球が入賞可能な第１入賞口（61）と第２入賞口（62）が左右方向に並列する構成であり、前記第１入賞口（61）と第２入賞口（62）は遮断部（77）により分離されている。前記の開閉式手段は前後方向の枢軸（78）により開閉し、第３入賞口（63）への遊技球の入賞を制御する遮蔽体（70）を備えている。また前記第３入賞口（63）は分離体（80）によって分離される第１入賞通路（73）と第２入賞通路（74）によって構成され、夫々遊技球を検出する為の第１検出手段（76a）、第２検出手段（76b）を備え、更には遊技球を誘導する為の第１誘導体（75a）と第２誘導体（75b）を備え、前記第１入賞通路（73）は遊技球を検出する為の第１検出手段（76a）と、前記第２入賞通路（74）は遊技球を検出する為の第２検出手段（76b）をも備える構成である。また、前記第１入賞口（61）と第２入賞口（62）はベース板（79）と該ベース板に設置される上受け部（82）の間で左右方向の中央に対して対称に設置され、更には前記ベース板（79）と上受け部（82）の間に第１落下入賞路（71）と第２落下入賞路（72）を備えた構成であり、前記第３入賞口（63）は前記ベース板（79）と該ベース板に設置される下受け部（84）の間で、左右方向の中央に対して対称に前記遮蔽体（70）と前記第１入賞通路（73）と第２入賞通路（74）を設置したものであり、当該電動入賞装置（4）を設置する事により解決を図る。
【０００９】
更には、遊技球が始動口に入球し検出される事により抽出される乱数に基づいて、大入賞口が一定回数の開閉動作を繰り返す事となる大当たり遊技を行うか否かの判定を行う当否判定手段を備えた遊技機において、遊技盤（8）に前記大当たりの当否判定の結果を表示する為の特別図柄を表示する第１図柄表示領域（2）と第２図柄表示領域（3）、更には遊技盤に設置された遊技球を検出可能な検出手段（9）により変動を開始する事となる普通図柄を表示する第３図柄表示領域（10）を表示可能とする図柄表示装置（1）が備えられており、また前記特別図柄の変動契機となる始動口を持ち合わせた電動入賞装置（4）を備え、前記電動入賞装置（4）は前記第１図柄表示領域（2）と第２図柄表示領域（3）に表示される大当たりの当否判定を行う為の乱数抽出契機となる始動口たり得る入賞手段を上部に非開閉式、下部には開閉式として一体に備え、前記の非開閉式手段は遊技球が入賞可能な第１入賞口（91）と第２入賞口（92）が左右方向に並列する構成であり、前記第１入賞口（91）と第２入賞口（92）は遮断部（107）により分離されている。また前記第１入賞口（91）は遊技球を検出する為の第１検出手段（106a）と、第１入賞通路（101）と第１入賞通路内に遊技球を誘導する為の第１誘導体（105a）からなる構成である。また前記第２入賞口（92）は遊技球を検出する為の第２検出手段（106b）と、第２入賞通路（102）と第２入賞通路内に遊技球を誘導する為の第２誘導体（105b）からなる構成である。前記の開閉式手段は前後方向の枢軸（108）により開閉し、第３入賞口（93）への遊技球の入賞を制御する遮蔽体（100）を備えている。また前記第３入賞口（93）は第３入賞通路（103）を備え、該第３入賞通路（103）は遊技球を検出する為の第３検出手段（106c）と第４検出手段（106d）を有するとともに、遊技球を検出手段へと誘導する為の誘導路（110）と、遊技球を前記第３検出手段（106c）と第４検出手段（106d）のいずれかに振り分ける為のガイド部（104）を備えた構成である。また、前記第１入賞口（91）と第２入賞口（92）はベース板（109）と該ベース板に設置される上受け部（112）の間で、左右方向の中央に対して対称に設置されるとともに、前記第３入賞口（93）は前記ベース板（109）と該ベース板に設置される下受け部（114）の間で、左右方向の中央に前記ガイド部（104）を備え、また左右方向の中央対して対称に前記遮蔽体（100）を設置したものであり、当該電動入賞装置（4）を設置する事により解決を図る。
【発明の効果】
【００１０】
本発明では複数の特別図柄表示領域を持ち合わせた遊技機において、夫々の特別図柄表示領域に対応した複数の始動口と、更には普通遊技当選時において作動することとなる普通電動役物を一体にまとめた電動入賞装置を考案している。この複数の始動口と普通電動役物の機能を一体化することにより、夫々の装置を独立単体で作成するよりも小型化をはかる事ができ、省スペースにつながる。またもちろん省コストの効果もあらわれる。このように小型化をはかる事により、従来の電動入賞装置と同様に遊技盤面に設置する事が容易で、遊技板面の構成を大きく変化させる事は無いため従来どおりの感覚で遊技を行う事が可能である。
【００１１】
また本発明のように上部に非開閉式の複数の入賞口を設け、下部に開閉式の入賞口を設ける事により従来の電動入賞装置では成しえなかった、複数の特別図柄の始動口と普通電動役物の機能を一体化することができる。更には下部の開閉式の入賞口に普通電動役物としての機能を持たせ、その入賞口の内部で複数の特別図柄に対応した検出手段を設置し、遊技球を振り分ける事ができ、且つ個別に検知することの出来る構成となっているため、１つの普通電動役物で複数の特別図柄に対応した始動口の機能を有する事も可能となる。
【発明を実施するための最良の形態】
【００１２】
次に実施例により本発明の最良の形態を説明する。尚、本発明は以下の実施例に記載される事例に限らず、本発明の要旨を逸脱しない範囲において様々な形態で実施できる事は言うまでもない。
【００１３】
図１は遊技機全体の正面図である。（7）の操作ハンドルによって遊技球を遊技盤面（8）に打ち出す事の出来る遊技機である。遊技盤面上には特別図柄を表示する第１図柄表示領域（2）と第２図柄表示領域（3）、更に普通図柄を表示する第３図柄表示領域（10）を表示可能な図柄表示装置（1）、電動入賞装置（4）、大入賞口（5）、（6）、普通図柄始動ゲート（9）が設置されている。本例では第１図柄表示領域と第２図柄表示領域は１つの液晶を使用しており、表示領域を分割する事によって２つの特別図柄の表示領域を構成するものである。また電動入賞装置（4）は特別図柄の始動口を備え、更には普通図柄の当選時においては遮蔽体を開放し入賞を容易にするといった普通電動役物の機能をも有する装置であり、上部に非開閉式の入賞手段と下部に開閉式の入賞手段を併せ持つ構成となっている。
【００１４】
次に図２は遊技盤面（8）の取り得る別構成例である。本例でも遊技盤面上には特別図柄を表示する第１図柄表示領域（2）と第２図柄表示領域（3）、更に普通図柄を表示する第３図柄表示領域（10）を表示可能な図柄表示装置（1）、電動入賞装置（4）、大入賞口（5）、（6）、普通図柄始動ゲート（9）が設置されている。本例では第１図柄表示領域と第２図柄表示領域は夫々１つの液晶を使用しており、２つの特別図柄の表示領域を構成するものである。また電動入賞装置（4）は特別図柄の始動口を備え、更には普通図柄の当選時においては遮蔽体を開放し入賞を容易にするといった普通電動役物の機能をも有する装置であり、上部に非開閉式の入賞手段と下部に開閉式の入賞手段を併せ持つ構成となっている。
【００１５】
発射された遊技球が電動入賞装置のいずれかの始動口に入賞すると乱数を抽出し、抽出された乱数に基づいて大当たりなどの当否判定が行われる。図柄表示装置における特別図柄を表示する第１図柄表示領域ないし第２図柄表示領域では当否判定結果に基づいて、入球した始動口に対応するいずれかの図柄表示領域の図柄を変動させ、その結果を表示する。当否判定が大当たりの場合には、予告やリーチアクションを交えながら、例えば「７７７」などといった大当たり図柄を表示する。大当たり遊技は所定回数のラウンドで構成され、ラウンド毎にいずれかの大入賞口が開放動作を行い著しく入賞が容易となり、遊技者が大量の賞球を獲得できる。また普通図柄始動ゲートを遊技球が通過すると、普通遊技用の乱数を抽出し、抽出された乱数に基づいて普通当たりなどの当否判定が行われる。図柄表示装置における普通図柄を表示する第３図柄表示領域では当否判定結果に基づいて、第３図柄表示領域の図柄を変動させ、その結果を表示する。普通当たりとなると、電動入賞装置に設けられている遮蔽体が一定時間開放することとなり、入賞が容易となる。
【００１６】
次に図３は請求項１に記される電動入賞装置の実施例１の正面図である。該電動入賞装置は上部に非開閉式の入賞手段第１入賞口（11）と第２入賞口（12）を、ベース板（29）と上受け部（32）の間に左右並列に備えている。第１入賞口（11）と第２入賞口（12）は左右方向の中央で遮断部（27）により分離されており、夫々遊技球の通過を検出する為の第１検出手段（26a）と第２検出手段（26b）を持ち、また遊技球を誘導する為の第１誘導体（25a）を備えた第１入賞通路（21）と第２誘導体（25b）を備えた第２入賞通路（22）からなる。これにより特別図柄を表示する領域を複数持つ際に、夫々の表示領域に対応した入賞口に入賞した遊技球を別々に検出することが可能である。
【００１７】
また下部には開閉式の第３入賞口（13）を、ベース板（29）と下受け部（34）の間に備えている。第３入賞口（13）は左右中央の対称に夫々前後方向に設置された枢軸（28）により回転運動により開閉する遮蔽体（20）を備える。当該遮蔽体（20）により第３入賞口（13）への入賞は普通図柄の当選時以外は制限されているものである。また第３入賞口（13）は左右方向中央で分離体（30）により分離される第３入賞通路（23）と第４入賞通路（24）を備えている。また第３入賞通路（23）と第４入賞通路（24）は夫々遊技球を誘導する為の第３誘導体（25c）と第４誘導体（25d）、更に遊技球の通過を検出する為の第３検出手段（26c）と第４検出手段（26d）を備えている。これにより特別図柄を表示する領域を複数持つ際に、夫々の表示領域に対応した入賞口に入賞した遊技球を別々に検出することが可能である。
【００１８】
次に図４は実施例１の分解斜視図である。また図１４は実施例１の組立斜視図であり、遮蔽体閉鎖時と遮蔽体開放時が図示してある。電動入賞装置（4）は一対の遮蔽体（20）、遊技球を検出する為の第１〜第４検出手段（26a）〜（26d）、一対の枢軸（28）、ベース板（29）、補助板（31）、上受け部（32）、押さえ板（33）、下受け部（34）、本体部（35）、連動軸受け（36）、連結体（37）、ソレノイド（38）、ソレノイドベース（39）から構成されされている。
【００１９】
次に図５と図６を基に実施例１の形態を説明する。図５は正面図、平面図、裏面図そして図中のＡ−Ｂ平断面図、Ｇ−Ｈ平断面図を示したものである。図６は側面図、Ｃ−Ｄ側断面図そしてＥ−Ｆ側断面図を示したものである。
【００２０】
電動入賞装置（4）の上部に備えられた非開閉式の入賞手段である第１入賞口（11）と第２入賞口（12）に遊技球が入球すると、備え付けられている第１検出手段（26a）と第２検出手段（26b）において遊技球の通過が検出される。その際には大当たり用の乱数を抽出し、大当たりの当否判定を行い、その当否結果を夫々の入賞口に対応する第１図柄表示領域（2）と第２図柄表示領域（3）にて特別図柄にて表示する。また入賞した遊技球は第１入賞通路（21）と第２入賞通路（22）の夫々備えられた、第１誘導体（25a）と第２誘導体（25b）に沿って本体部（35）まで誘導される。各入賞通路を通過した遊技球は、本体部（35）に設けられたガイド部（41）に誘導され、第１排出通路（42）と第２排出通路（43）へと進み排出される。各誘導体は速やかに遊技球を排出する為に、傾斜をつけて各入賞通路に配置されている。
【００２１】
また普通図柄が当選した際には、第３入賞口（13）を閉鎖している遮蔽体（20）が一定時間開放し、入賞が可能な状態となる。遮蔽体（20）の開閉にはソレノイド（38）が使用される。即ち普通図柄が当選すると、ソレノイド（38）が励磁する。ソレノイド（38）が励磁すると、装着されている可動鉄心（44）が同じく装着されているバネ（45）に反して上昇する。すると可動鉄心（44）に連結する連結体（37）もあわせて上昇し、更には係合する連動軸受け（36）の突起部（36a）を上昇させる。突起部（36a）が上昇すると、連動軸受け（36）と連結する枢軸（28）は枢軸（28）を中心として回転し、それに伴い連結する遮蔽体（20）も回転し、第３入賞口（13）が開放し、遊技球の入賞が可能な状態になる。
【００２２】
また第３入賞口（13）が開放し、一定時間が経過すると遮蔽体（20）により閉鎖される。即ち一定時間が経過すると、ソレノイド（38）が消滋する。ソレノイド（38）が消磁すると、装着されている可動鉄心（44）が同じく装着されているバネ（45）の反発力で下降する。すると可動鉄心（44）に連結する連結体（37）もあわせて下降し、更には係合する連動軸受け（36）の突起部（36a）を下降させる。突起部（36a）が下降すると、連動軸受け（36）と連結する枢軸（28）は枢軸（28）を中心として回転し、それに伴い連結する遮蔽体（20）も回転し、第３入賞口（13）が閉鎖し、遊技球の入賞が不可能な状態になる。
【００２３】
第３入賞口（13）に入球した遊技球は分離体（30）にて隔たられた第３入賞通路（23）もしくは第４入賞通路（24）に導かれる。本実施例においては分離体（30）によって図の左方向から入球した遊技球は第３入賞通路（23）に、右方向から入球した遊技球は第４入賞通路（24）に確実に導かれる構成となっている。左方向から入球した遊技球が第４入賞通路（24）に、右方向から入球した遊技球が第３入賞通路（23）に導かれる事はありえない。これにより遊技球を確実に個別に検出することが可能な構成となっている。また遊技球は各入賞通路に夫々備えられた第３誘導体（25c）と第４誘導体（25d）に沿って夫々第３検出手段（26c）と第４検出手段（26d）まで誘導される。各検出手段を通過した遊技球はそのまま各検出手段の裏面を落下し排出される。また各誘導体は速やかに遊技球を排出する為に、傾斜をつけて各入賞通路に配置されている。各検出手段において遊技球の通過が検出されると大当たり用の乱数を抽出し、大当たりの当否判定を行い、その当否結果を夫々の検出手段に対応する第１図柄表示領域（2）と第２図柄表示領域（3）にて特別図柄にて表示する。また第３入賞口（13）は特別図柄の始動口としての機能を有さずに、一般の入賞口扱いとしても構わない。即ち入賞しても大当たり用の乱数を抽出せずに、単に賞球だけを払い出す構成としても差し支えない。その場合は分離体（30）を設けて入賞通路を分割し、且つ２つの検出手段に振り分ける必要性は無く、入賞通路を１つだけ設けて、更に賞球用に１つの検出手段を用いて遊技球を検知するようにしてやれば問題はない。
【００２４】
次に図７は請求項２に記される電動入賞装置の実施例２の正面図である。該電動入賞装置は上部に非開閉式の入賞手段第１入賞口（61）と第２入賞口（62）を、ベース板（79）と上受け部（82）の間に左右並列に備えている。第１入賞口（61）と第２入賞口（62）は左右方向の中央で遮断部（77）により分離されており、ベース板（79）と上受け部（82）の間に第１落下入賞路（71）と第２落下入賞路（72）からなる。即ち各入賞口に入球した遊技球はそのまま下方へと落下して、後述する第３入賞口（63）に備えられた各入賞通路へと導かれる構成である。
【００２５】
そして下部には開閉式の第３入賞口（63）を、ベース板（79）と下受け部（84）の間に備えている。第３入賞口（63）は左右中央の対称に夫々前後方向に設置された枢軸（78）により回転運動により開閉する遮蔽体（70）を備える。当該遮蔽体（70）により第３入賞口（63）への入賞は普通図柄の当選時以外は制限されているものである。また第３入賞口（13）は左右方向中央で分離体（80）により分離される第１入賞通路（73）と第２入賞通路（74）を備えている。また第１入賞通路（73）と第２入賞通路（74）は夫々遊技球を誘導する為の第１誘導体（75a）と第２誘導体（75b）、更に遊技球の通過を検出する為の第１検出手段（76a）と第２検出手段（76d）を備えている。これにより特別図柄を表示する領域を複数持つ際に、夫々の表示領域に対応した入賞口に入賞した遊技球を別々に検出することが可能である。
【００２６】
次に図８と図９を基に実施例２の形態を説明する。図８は正面図、平面図、裏面図そして図中のＩ−Ｊ平断面図を示したものである。図９は側面図、Ｋ−Ｌ側断面図そしてＭ−Ｎ側断面図を示したものである。
【００２７】
電動入賞装置（4）の上部に備えられた非開閉式の入賞手段である第１入賞口（61）と第２入賞口（62）に遊技球が入球すると、ベース板（79）と上受け部（82）の間に設けられており、且つ遮断部（77）により分離されている第１落下入賞路（71）と第２落下入賞路（72）をそのまま落下する。この各落下入賞路は第３入賞口（63）まで貫通している為、第１、第２入賞口に入球した遊技球はそのまま第３入賞口（63）へと導かれ、第１入賞口（61）に入球した遊技球は第１入賞通路（73）へ、第２入賞口（62）に入球した遊技球は第２入賞通路（74）へそのまま入球する。道中遮断部（77）が設けられているのと、各入賞通路は分離体（80）で分断されている為、取り違えて入球することはありえない。
【００２８】
また普通図柄が当選した際には、第３入賞口（63）を閉鎖している遮蔽体（70）が一定時間開放し、入賞が可能な状態となる。遮蔽体（70）の開閉にはソレノイド（88）が使用される。即ち普通図柄が当選すると、ソレノイド（88）が励磁する。ソレノイド（88）が励磁すると、装着されている可動鉄心（94）が同じく装着されているバネ（95）に反して上昇する。すると可動鉄心（94）に連結する連結体（87）もあわせて上昇し、更には係合する連動軸受け（86）の突起部（86a）を上昇させる。突起部（86a）が上昇すると、連動軸受け（86）と連結する枢軸（78）は枢軸（78）を中心として回転し、それに伴い連結する遮蔽体（70）も回転し、第３入賞口（63）が開放し、遊技球の入賞が可能な状態になる。
【００２９】
また第３入賞口（63）が開放し、一定時間が経過すると遮蔽体（70）により閉鎖される。即ち一定時間が経過すると、ソレノイド（88）が消滋する。ソレノイド（88）が消磁すると、装着されている可動鉄心（94）が同じく装着されているバネ（95）の反発力で下降する。すると可動鉄心（94）に連結する連結体（87）もあわせて下降し、更には係合する連動軸受け（86）の突起部（86a）を下降させる。突起部（86a）が下降すると、連動軸受け（86）と連結する枢軸（78）は枢軸（78）を中心として回転し、それに伴い連結する遮蔽体（70）も回転し、第３入賞口（63）が閉鎖し、遊技球の入賞が不可能な状態になる。
【００３０】
第１入賞口（61）と第２入賞口（62）に入球し落下してきた遊技球と、遮蔽体（70）が開放し第３入賞口（63）に入球した遊技球は分離体（80）にて隔たられた第１入賞通路（73）もしくは第２入賞通路（74）に導かれる。遊技球は各入賞通路に夫々備えられた第１誘導体（75a）と第２誘導体（75b）に沿って夫々第１検出手段（76a）と第２検出手段（76d）まで誘導される。これにより夫々の遊技球を別々に検出することが可能である。更には本実施例においては実施例１の形態に比べ検出手段を２つしか必要としないため、コスト面での効果も期待することが出来るし、制御面においても簡易化することが可能な構成となっている。各検出手段を通過した遊技球はそのまま各検出手段の裏面を落下し排出される。また各誘導体は速やかに遊技球を排出する為に、傾斜をつけて各入賞通路に配置されている。各検出手段において遊技球の通過が検出されると大当たり用の乱数を抽出し、大当たりの当否判定を行い、その当否結果を夫々の検出手段に対応する第１図柄表示領域（2）と第２図柄表示領域（3）にて特別図柄にて表示する。
【００３１】
次に図１０は請求項３に記される電動入賞装置の実施例３の正面図である。該電動入賞装置は上部に非開閉式の入賞手段第１入賞口（91）と第２入賞口（92）を、ベース板（109）と上受け部（112）の間に左右並列に備えている。第１入賞口（91）と第２入賞口（92）は左右方向の中央で遮断部（107）により分離されており、夫々遊技球の通過を検出する為の第１検出手段（106a）と第２検出手段（106b）を持ち、また遊技球を誘導する為の第１誘導体（105a）を備えた第１入賞通路（101）と第２誘導体（105b）を備えた第２入賞通路（102）からなる。これにより特別図柄を表示する領域を複数持つ際に、夫々の表示領域に対応した入賞口に入賞した遊技球を別々に検出することが可能である。
【００３２】
また下部には開閉式の第３入賞口（93）を、ベース板（109）と下受け部（114）の間に備えている。第３入賞口（93）は左右中央の対称に夫々前後方向に設置された枢軸（108）により回転運動により開閉する遮蔽体（100）を備える。当該遮蔽体（100）により第３入賞口（93）への入賞は普通図柄の当選時以外は制限されているものである。また前記第３入賞口（93）は第３入賞通路（103）を備え、該第３入賞通路（103）は遊技球を検出する為の第３検出手段（106c）と第４検出手段（106d）を有するとともに、遊技球を検出手段へと誘導する為の誘導路（110）と、遊技球を前記第３検出手段（106c）と第４検出手段（106d）のいずれかに振り分ける為のガイド部（104）を備えた構成である。これにより特別図柄を表示する領域を複数持つ際に、夫々の表示領域に対応した入賞口に入賞した遊技球を別々に検出することが可能である。
【００３３】
次に図１１と図１２を基に実施例３の形態を説明する。図１１は正面図、平面図、裏面図そして図中のＯ−Ｐ平断面図、Ｑ−Ｒ平断面図を示したものである。図１２は側面図、Ｓ−Ｔ側断面図そしてＵ−Ｖ側断面図を示したものである。
【００３４】
電動入賞装置（4）の上部に備えられた非開閉式の入賞手段である第１入賞口（91）と第２入賞口（92）に遊技球が入球すると、備え付けられている第１検出手段（106a）と第２検出手段（106b）において遊技球の通過が検出される。その際には大当たり用の乱数を抽出し、大当たりの当否判定を行い、その当否結果を夫々の入賞口に対応する第１図柄表示領域（2）と第２図柄表示領域（3）にて特別図柄にて表示する。また入賞した遊技球は第１入賞通路（101）と第２入賞通路（102）の夫々備えられた、第１誘導体（105a）と第２誘導体（105b）に沿って本体部（115）まで誘導される。各入賞通路を通過した遊技球は、本体部（115）に設けられたガイド部（121）に誘導され、第１排出通路（122）と第２排出通路（123）へと進み排出される。各誘導体は速やかに遊技球を排出する為に、傾斜をつけて各入賞通路に配置されている。
【００３５】
また普通図柄が当選した際には、第３入賞口（93）を閉鎖している遮蔽体（100）が一定時間開放し、入賞が可能な状態となる。遮蔽体（100）の開閉にはソレノイド（118）が使用される。即ち普通図柄が当選すると、ソレノイド（118）が励磁する。ソレノイド（118）が励磁すると、装着されている可動鉄心（124）が同じく装着されているバネ（125）に反して上昇する。すると可動鉄心（124）に連結する連結体（117）もあわせて上昇し、更には係合する連動軸受け（116）の突起部（116a）を上昇させる。突起部（116a）が上昇すると、連動軸受け（116）と連結する枢軸（108）は枢軸（108）を中心として回転し、それに伴い連結する遮蔽体（100）も回転し、第３入賞口（93）が開放し、遊技球の入賞が可能な状態になる。
【００３６】
また第３入賞口（93）が開放し、一定時間が経過すると遮蔽体（100）により閉鎖される。即ち一定時間が経過すると、ソレノイド（118）が消滋する。ソレノイド（118）が消磁すると、装着されている可動鉄心（124）が同じく装着されているバネ（125）の反発力で下降する。すると可動鉄心（124）に連結する連結体（117）もあわせて下降し、更には係合する連動軸受け（116）の突起部（116a）を下降させる。突起部（116a）が下降すると、連動軸受け（116）と連結する枢軸（108）は枢軸（108）を中心として回転し、それに伴い連結する遮蔽体（100）も回転し、第３入賞口（93）が閉鎖し、遊技球の入賞が不可能な状態になる。
【００３７】
第３入賞口（93）に入球した遊技球は第３入賞通路（103）に導かれる。遊技球は第３入賞通路（93）に備えられた誘導路（110）に沿って誘導され、ガイド部（104）によって第３検出手段（106c）と第４検出手段（106d）までいずれかへと振り分けられる。本実施例においては第３入賞口内には分離体を設けて入賞通路を区切っていない構成としてあるため、図の左右両方向から入球した遊技球はどちらの検出手段にも導かれる事ができる。下受け部（114）を透明な部材で作成すれば、入球した遊技球がどちらの検出手段に導かれるかを視認できることとなり、その過程を楽しむ事の出来る構成としても面白い。更にはガイド部（104）を可動式に構成して、遊技球が入球した際に自動的に特別図柄の保留数を判定し、保留数の少ない方へ導く構成としても面白い。各検出手段を通過した遊技球はそのまま各検出手段の裏面を落下し排出される。また誘導路（110）は速やかに遊技球を排出する為に、傾斜をつけて第３入賞通路（103）に配置されている。各検出手段において遊技球の通過が検出されると大当たり用の乱数を抽出し、大当たりの当否判定を行い、その当否結果を夫々の検出手段に対応する第１図柄表示領域（2）と第２図柄表示領域（3）にて特別図柄にて表示する。また第３入賞口（93）は特別図柄の始動口としての機能を有さずに、一般の入賞口扱いとしても構わない。即ち入賞しても大当たり用の乱数を抽出せずに、単に賞球だけを払い出す構成としても差し支えない。その場合はガイド部（104）を設けて、特に２つの検出手段に振り分ける必要性は無く、賞球用に１つの検出手段を用いて遊技球を検知するようにしてやれば問題はない。
【００３８】
以上で各実施例の説明を終えるが、各実施例のように構成することにより特別図柄用の始動口を複数持ち、夫々の始動口を別々に設ける事に比べると非常に小型化が可能となり、設置スペースなども従来とさほど変わらずにすむので、遊技盤面の構成を大きく変化させる必要も無くなる。また１つの普通電動役物の内部で振り分けを行い、複数の始動口の機能を持ち合わせる事ができる。
【００３９】
続いて図１３は実施例１を基にした、簡単な動作例図である。遮蔽体（130）閉鎖時には遊技球（132）は上部に設けられている非開閉式の入賞口のみからしか入球する事ができない。普通遊技当選時には枢軸（131）を中心として、下部の開放式の入賞口を閉ざしていた遮蔽体（130）もあわせて回転する事により、下部の入賞口へも入球が可能となる。当然この時点においても上部の非開閉式の入賞口への入球は可能である。以上の原理は実施例１に留まらず、実施例２ないし実施例３においても同様である。
【００４０】
図１５は電動入賞装置上部に設置され、上部の非開閉式入賞手段への入球を制御する遊技釘の効果的な設置パターンと思われるものの一例である。パターンＡでは入賞可能な領域は釘間（150）と釘間（151）の２領域から構成され、左右の入賞口への入球の振り分けを行っている。この釘配置の特徴としては電動入賞装置上部にわずか３本の釘を配置する事であり、上部スペースが限られた狭い範囲でも設置が可能である。パターンＢでは入賞可能な領域は釘間（152）の１領域のみとなっており、左右入賞口の中央上部に配置された釘（153）によって、左右の入賞口への入球の振り分けを行っている。この釘配置の特徴としては釘間（152）の領域は若干広めに配置されており、遊技球が比較的入賞しやすい構成になっている。パターンＣでは入賞可能な領域は釘間（154）釘間（155）釘間（156）の３領域から構成され、左右の入賞口への入球の振り分けを行っている。この釘配置の特徴は釘間（154）釘間（156）から入球した場合は夫々左右の入賞口へと入球する可能性が高いが、釘間（155）から入球した場合は左右どちらかの入賞口に入球するかはほぼ均等であり、その過程を楽しむ事が出来る。パターンＤでは入賞可能な領域は（157）（158）（159）の３領域から構成され、更には左右入賞口の中央上部に配置された釘（160）によって、左右の入賞口への入球の振り分けを行っている。この釘配置の特徴としては入球可能な領域が複数配置されており、且ついずれの領域から入球した場合でも（160）の釘で振り分けが行われる為左右どちらの入賞口に入球するかを楽しむ事の出来る構成になっている。
【図面の簡単な説明】
【００４１】
【図１】パチンコ遊技機の正面図
【図２】遊技盤構成例
【図３】実施例１の正面図
【図４】実施例１の分解斜視図
【図５】実施例１の平面図・裏面図・断面図など
【図６】実施例１の側面図・断面図など
【図７】実施例２の正面図
【図８】実施例２の平面図・裏面図・断面図など
【図９】実施例２の側面図・断面図など
【図１０】実施例３の正面図
【図１１】実施例３の平面図・裏面図・断面図など
【図１２】実施例３の側面図・断面図など
【図１３】実施例１を基にした動作例図
【図１４】実施例１を基にした開閉形態斜視図
【図１５】遊技釘設置パターン例
【符号の説明】
【００４２】
１  図柄表示装置
２  第１図柄表示領域
３  第２図柄表示領域
４  電動入賞装置
５・６  大入賞口
７  操作ハンドル
８  遊技盤
９  普通図柄始動ゲート
１０  第３図柄表示領域
１１・６１・９１  第１入賞口
１２・６２・９２  第２入賞口
１３・６３・９３  第３入賞口
２０・７０・１００  遮蔽体
２１・７３・１０１  第１入賞通路
２２・７４・１０２  第２入賞通路
２３・１０３  第３入賞通路
２４  第４入賞通路
２５ａ〜ｄ・７５ａ〜ｂ・１０５ａ〜ｂ  誘導体
２６ａ〜ｄ・７６ａ〜ｂ・１０６ａ〜ｂ  検出手段
２７・７７・１０７  遮断部
２８・７８・１０８  枢軸
２９・７９・１０９  ベース板
３０・８０  分離体
３１・８１・１１１  補助板
３２・８２・１１２  上受け部
３３  押さえ板
３４・８４・１１４  下受け部
３５・８５・１１５  本体部
３６・８６・１１６  連動軸受け  
３６ａ・８６ａ・１１６ａ  突起部
３７・８７・１１７  連結体
３８・８８・１１８  ソレノイド
３９・８９・１１９  ソレノイドベース
４１・１２１  ガイド部
４２・１２２  第１排出通路
４３・１２３  第２排出通路
４４・９４・１２４  可動鉄心
４５・９５・１２５  バネ
７１  第１落下通路
７２  第２落下通路
１０４  ガイド部
１１０  誘導路
【図１】
2005334381.tif 000003
【図２】
2005334381.tif 000004
【図３】
2005334381.tif 000005
【図４】
2005334381.tif 000006
【図５】
2005334381.tif 000007
【図６】
2005334381.tif 000008
【図７】
2005334381.tif 000009
【図８】
2005334381.tif 000010
【図９】
2005334381.tif 000011
【図１０】
2005334381.tif 000012
【図１１】
2005334381.tif 000013
【図１２】
2005334381.tif 000014
【図１３】
2005334381.tif 000015
【図１４】
2005334381.tif 000016
【図１５】
2005334381.tif 000017